(57)【要約】【課題】隣合う発熱筐体の排熱の影響を受けることのない発熱筐体の冷却構造を提供することを目的としている。【解決手段】発熱部材と冷却ファンが内蔵された複数の第１筐体と、これら複数の第１筐体を所定の間隔を隔てて直列に並べて収納する第２筐体からなり、隣合う前記第１筐体の間に導風板を配置した。【選択図】      図１
2010171317.tif 000002
【特許請求の範囲】
【請求項１】
発熱部材と冷却ファンが内蔵された複数の第１筐体と、これら複数の第１筐体を所定の間隔を隔てて直列に並べて収納する第２筐体からなり、隣合う前記第１筐体の間に導風板を配置したことを特徴とする発熱筐体の冷却構造。
【請求項２】
導風板に所定の傾斜を設けたことを特徴とする請求項１に記載の発熱筐体の冷却構造。
【請求項３】
前記導風板は前記冷却ファンで送風される空気が隣合う前記第１筐体に触れないようにしたことを特徴とする請求項１または２に記載の発熱筐体の冷却構造。
【請求項４】
前記第２筐体は床面に対して垂直・水平・斜め方向のいずれかに設置したことを特徴とする請求項１乃至３のいずれかに記載の発熱筐体の冷却構造。
【発明の詳細な説明】
【技術分野】
【０００１】
本発明は、例えば複数のＩＣ試験装置（以下、テスタという）を複数個収納した発熱筐体の冷却構造に関し、筐体内に複数個配置された発熱体からの熱が他の発熱体の加熱源となることを防止した発熱筐体の冷却構造に関するものである。
【背景技術】
【０００２】
一般にテスタの電源部や回路部は発熱を伴うので、その筐体内にファンユニットを備え、下部から空気を取り込み、内部で温められた空気を上部から排出するように構成されている。そして、このようなテスタでは効果的な排熱を行うために筐体を構成する底板・天井板・側板には空気流通のための多数の孔が形成されている。
【０００３】
ところで、テストすべきＩＣが大量にある場合、複数のテスタを一つの筐体内に収納してテストを行う場合がある。
図２は例えば矩形状に形成された３台のテスタ（第１筐体１ａ，１ｂ，１ｃ）を床面に対して垂直に配置された第２筐体２内に３段に収納した状態を示す斜視図である。この第２筐体２は例えば断面Ｌ字状のアングル部材を溶接して形成されている。
【０００４】
なお、テスタ１を載置する棚（３ａ，３ｂ，３ｃ）は断面Ｌ字状のアングル部材を所定の間隔を有して対向して配置したものや、棒を掛け渡したもの、又は平板に多数の孔を明けたものなどが用いられ、テスタ同士の底部と天井の間には所定の間隔Ｃが設けられている。
【０００５】
図２に示す構成において、下段のテスタ１ａは内蔵されたファンユニット（図示省略）により第２筐体２の底面及び側面より吸気温度Ｔ０の空気を取り込み、テスタ１ａ内の発熱部品に対して熱交換を行った後、温度Ｔ１に上昇した空気が上部（天井）から排出される。
【０００６】
温度Ｔ１に上昇した空気は側面から取り込まれる吸気温度Ｔ０の空気とともにその上部に載置されたテスタ１ｂ内に取り込まれてテスタ１ｂ内の発熱部品に対して熱交換を行った後、温度Ｔ２に上昇した空気が上部から排出される。
【０００７】
更に、温度Ｔ２に上昇した空気は側面から取り込まれる吸気温度Ｔ０の空気とともにその上部に載置されたテスタ１ｃ内に取り込まれてテスタ１ｃ内の発熱部品の冷却を行った後、温度Ｔ３上昇した空気が上部（天井）から排出される。
【０００８】
上述の構成においては、第２筐体２の底面部より吸気温度Ｔ０で取り込まれた空気は、
殆どが下段のテスタ１ａ，中段のテスタ１ｂ，上段のテスタ１ｃを通過する。
テスタを冷却する先行技術としては下記の特許文献が知られている。
【先行技術文献】
【特許文献】
【０００９】
【特許文献１】特開平４−１１７４９号公報
【発明の概要】
【発明が解決しようとする課題】
【００１０】
ところで、このような構成の発熱筐体の冷却構造では、２段目以降に載置されたテスタは順次その下段に載置されたテスタの排熱の影響を受けるため冷却効果が弱くなるという問題があった。
【００１１】
従って、本発明は、下段に載置されたテスタの排熱の影響を受けることのない発熱筐体の冷却構造を提供することを目的としている。
【課題を解決するための手段】
【００１２】
本発明は上記課題を解決するためになされたもので、請求項１に記載の発熱筐体の冷却構造においては、
発熱部材と冷却ファンが内蔵された複数の第１筐体と、これら複数の第１筐体を所定の間隔を隔てて直列に並べて収納する第２筐体からなり、隣合う前記第１筐体の間に導風板を配置したことを特徴とする。
【００１３】
請求項２においては、請求項１に記載の発熱筐体の冷却構造において、
導風板に所定の傾斜を設けたことを特徴とする。
【００１４】
請求項３においては、請求項１又は２に記載の発熱筐体の冷却構造において、
前記導風板は前記冷却ファンで送風される空気が隣合う前記第１筐体に触れないようにしたことを特徴とする。
【００１５】
請求項４においては、請求項１乃至３のいずれかに記載の発熱筐体の冷却構造において、前記第２筐体は床面に対して垂直・水平・斜め方向のいずれかに設置したことを特徴とする。
【発明の効果】
【００１６】
以上説明したことから明らかなように本発明の請求項１〜３によれば、隣合う第１筐体の間に所定の傾斜を有する導風板を配置し、冷却ファンで送風される空気が隣合う第１筐体に触れないようにしたので、下段に載置されたテスタの排熱の影響を受けることのない発熱筐体の冷却構造を実現することができる。
請求項４によれば、第１筐体にファンが内蔵されているので第２筐体の姿勢（垂直・水平・斜め方向）に影響を受けることがない。
【図面の簡単な説明】
【００１７】
【図１】本発明の発熱筐体の冷却構造の実施形態の一例を示す側面図である。
【図２】従来例を示す斜視図である。
【発明を実施するための形態】
【００１８】
図１は本発明の発熱筐体の冷却構造の側面図で、向かって左側が正面、右側が背面側である。
図１において、第２筐体２内にはテスタ１ａ，１ｂ，１ｃが３段に収納されている。第２筐体２は例えば断面Ｌ字状のアングル部材を溶接して形成されており、床面に対して垂直に配置されている。
【００１９】
テスタ１を載置する棚（３ａ，３ｂ，３ｃ）は図２に示す第２筐体２ａと同様、断面Ｌ字状のアングル部材を所定の間隔を隔てて対向して配置したものや、棒を掛け渡したもの、又は平板に多数の孔を明けたものなどが用いられ、テスタ同士の底部と天井の間には所定の間隔Ｃ１が設けられている。
【００２０】
４は矩形状の導風板であり、正面から見た場合テスタ１の幅より大きく、第２筐体の正面から見た幅と同程度に形成されている。この導風板の一端はテスタ１の前面（図では左端）に接触し、他端は仕切板５の下端付近に配置されており、所定の傾斜角θを有するように形成されている。
【００２１】
仕切板５はテスタの背面と第２筐体２の背面の間に配置され、正面から見た場合テスタ１の幅より大きく、第２筐体の正面から見た幅と同程度で、高さはテスタ１と同程度に形成されている。
【００２２】
上述の構成において、下段に配置されたテスタ１ａは内蔵されたファンユニット（図示省略）により第２筐体２の底面及び側面より吸気温度Ｔ０の空気を取り込み、テスタ１ａ内の発熱部品に対して熱交換を行った後、温度Ｔ１に上昇した空気が上部（天井）から排出される。排出された空気は導風板４ａに沿ってテスタ１ａの背面側に流れ、仕切板５ａと第２筐体２の間を流れ２段目３段目に配置されたテスタ１ｂ，１ｃに触れることなく第２筐体２の上部から排出される。
【００２３】
また、中段に配置されたテスタ１ｂは内蔵されたファンユニットにより底面及び側面より吸気温度Ｔ０の空気を取り込み、テスタ１ｂ内の発熱部品に対して熱交換を行った後、温度Ｔ１に上昇した空気が上部（天井）から排出される。排出された空気は導風板４ａに沿ってテスタ１ｂの背面側に流れ、仕切板５ｂと第２筐体２の間を流れ３段目に配置されたテスタ１ｃに触れることなく第２筐体２の上部から排出される。
【００２４】
更に、上段に配置されたテスタ１ｃは内蔵されたファンユニットにより底面及び側面より吸気温度Ｔ０の空気を取り込み、テスタ１ｃ内の発熱部品に対して熱交換を行った後、温度Ｔ１に上昇した空気が上部（天井）から排出される。排出された空気は第２筐体２の上部から排出される。
【００２５】
上述の構成によれば、下段に配置されたテスタから排出される温度上昇した空気の影響を受けることのない発熱筐体の冷却構造を実現することができる。
【００２６】
なお、以上の説明は、本発明の説明および例示を目的として特定の好適な実施例を示したに過ぎない。例えば第２筐体に収納するテスタの数は３台に限ることなく２台でも４台以上でもよい。
【００２７】
また、上記説明においては第２筐体は床面に対して垂直に配置したが、斜めでも横向きであってもよい。
また、第２筐体をテスタとして説明したが、テスタに限ることなく、複数個配置したときに隣り合う装置から排出される温度上昇した空気の影響を嫌う装置であれば他の装置であってもよく、機種の異なるものが混在していてもよい。
【００２８】
また、上記説明においては導風板に傾斜を設けたがテスタの上方に所定の間隔を隔てて水平に設けてもよい。また、第１、第２筐体は矩形以外の形状であってもよく、要は隣り合う発熱機器の温度上昇による影響を受けないような導風板を有する構成であれば良い。
従って本発明は、上記実施例に限定されることなく、その本質から逸脱しない範囲で更に多くの変更、変形を含むものである。
【符号の説明】
【００２９】
１      第１筐体（テスタ）
２      第２筐体
３      棚
４      導風板
５      仕切板
【図１】
2010171317.tif 000003
【図２】
2010171317.tif 000004